(57)【要約】【課題】発着信処理における利便性を向上させることができるようにする。【解決手段】本発明に係る情報処理端末に適用可能な携帯電話機２においては、主制御部３１は、他の携帯電話機２に着信処理を行わせるための条件である着信条件の入力を受け付け、変復調回路部３９などを介して、他の携帯電話機２への発信の際に、入力が受け付けられた着信条件に関する情報を送信し、他の携帯電話機２への接続が完了するまでの間に、他の携帯電話機２との間における接続中の回線の切断を要求する回線切断要求を取得したか否かを判定し、回線切断要求を取得したと判定された場合、変復調回路部３９などを介して、他の携帯電話機２との間における接続中の回線を切断する。【選択図】  図４
2008306558.tif 000002
【特許請求の範囲】
【請求項１】
情報処理装置に接続される他の情報処理装置に着信処理を行わせるための条件である着信条件の入力を受け付ける入力受付手段と、
前記他の情報処理装置への発信の際に、前記入力受付手段により入力が受け付けられた前記着信条件に関する情報を送信する送信手段と、
前記他の情報処理装置への接続が完了するまでの間に、前記他の情報処理装置との間における接続中の回線の切断を要求する回線切断要求を取得したか否かを判定する判定手段と、
前記判定手段により前記回線切断要求を取得したと判定された場合、前記他の情報処理装置との間における接続中の回線を切断する回線切断手段とを備えることを特徴とする情報処理装置。
【請求項２】
前記回線切断手段により前記他の情報処理装置との間における接続中の回線を切断する際に、前記他の情報処理装置との間における接続中の回線を切断する旨を表示する表示手段をさらに備えることを特徴とする請求項１に記載の情報処理装置。
【請求項３】
情報処理装置に接続される他の情報処理装置に着信処理を行わせるための条件である着信条件の入力を受け付ける入力受付手段と、
前記他の情報処理装置への発信の際に、前記入力受付手段により入力が受け付けられた前記着信条件に関する情報を送信する送信手段と、
前記他の情報処理装置との間での回線が接続された後、前記他の情報処理装置に接続できないことを示す音声信号、データ信号またはメールを受信する受信手段と、
前記受信手段により受信された前記音声信号、データ信号または前記メールに含まれる情報を出力する出力手段とを備えることを特徴とする情報処理装置。
【請求項４】
情報処理装置に接続される他の情報処理装置から着信の際に、着信処理を行うための条件である着信条件に関する情報を前記他の情報処理装置から受信する受信手段と、
前記受信手段により受信された前記着信条件を満たすか否かを判定する判定手段と、
前記判定手段により前記着信条件を満たさないと判定された場合、前記情報処理装置との間における接続中の回線の切断を要求する回線切断要求を生成する生成手段と、
前記生成手段により生成された前記回線切断要求を前記他の情報処理装置に送信する送信手段とを備えることを特徴とする情報処理装置。
【請求項５】
情報処理装置に接続される他の情報処理装置から着信の際に、着信処理を行うための条件である着信条件に関する情報を前記他の情報処理装置から受信する受信手段と、
前記受信手段により受信された前記着信条件を満たすか否かを判定する判定手段と、
前記判定手段により前記着信条件を満たさないと判定された場合、前記情報処理装置と接続することができない旨を示す音声信号、データ信号またはメールを送信する送信手段を備えることを特徴とする情報処理装置。
【発明の詳細な説明】
【技術分野】
【０００１】
本発明は情報処理装置に係り、特に、情報処理装置の機器の状態に応じて発信接続を制御することができるようにした情報処理装置に関する。
【背景技術】
【０００２】
近年、携帯電話機などに代表される携帯端末の機器の状態に応じて発信接続を制御する技術が知られている（例えば特許文献１乃至２参照）。
【０００３】
特許文献１に提案されている技術によれば、携帯電話機の電源ＯＦＦ時にその旨をネットワークに通知して携帯電話機の機器の状態を管理することができ、例えば他の携帯電話機から発信接続が行われた際に、他の携帯電話機に対して、この携帯電話機が圏外にいるために呼び出すことができないのか、あるいは、電源がＯＦＦにされているために呼び出すことができないかに関するガイダンスを流すことができる。
【０００４】
また、特許文献２に提案されている技術によれば、携帯電話機の電源ＯＦＦ時に緊急発呼処理を行うとともに、着呼や位置登録を禁止することができる。
【特許文献１】特開２００１−９１１２０号公報
【特許文献２】特開２００３−４０３３８９号公報
【発明の開示】
【発明が解決しようとする課題】
【０００５】
しかしながら、特許文献１に提案されている技術では、他の携帯電話機からの呼び出しの際に、ガイダンスによって発信側の他の携帯電話機に対して携帯電話機の状態を報知することができる（すなわち、なぜ他の携帯電話機から接続することができないかなどを報知することができる）が、呼が発生したときに接続するか否かに関しては、ネットワークシステム（無線回線を含むネットワーク）の都合や、着信側の携帯電話機が無線回線を介して接続可能であるか否か（すなわち、携帯電話機の状態が圏外であるのか、電源オフであるのか、ドライブモードであるのか、着信拒否などに設定されているのかなど）によって決定されてしまい、呼び出しの際に、発信側の携帯電話機で着信側の携帯電話機に接続するか否かを選択することはできない。
【０００６】
例えば、ユーザが、自分の子供が学校に現在いる場合には携帯電話機によって呼び出したくないが、現在外出している場合には呼び出して話したいと思っているときに、ユーザの携帯電話機から自分の子供の携帯電話機に発信処理を行ったとしても、ユーザは、自分の子供が所有する携帯電話機の状態が圏外や電源オフであるために接続することができないのか、マナーモードやドライブモードであるためにすぐに通話することができないのかに関することを知ることができず、自分の子供が所有する携帯電話機が接続可能であれば、その携帯電話機の状態の如何にかかわらず、無条件に発呼処理が実行されてしまう。
【０００７】
そのため、着信側の携帯電話機でマナーモードやドライブモードなどを設定するべき状況（例えば授業中や会議中などの状況）において、その設定がなされていないような場合、着信側の携帯電話機を所有するユーザは通話することが困難であるにもかかわらず、発信側の携帯電話機から不用意に発信処理を行ってしまうと、着信音やバイブレータによる振動音が不要に発生してしまい、ユーザにとって不都合であるという課題があった。
【０００８】
本発明は、このような状況に鑑みてなされたものであり、発着信処理における利便性を向上させることができる情報処理装置を提供することを目的とする。
【課題を解決するための手段】
【０００９】
本発明の情報処理装置は、上述した課題を解決するために、情報処理装置に接続される他の情報処理装置に着信処理を行わせるための条件である着信条件の入力を受け付ける入力受付手段と、他の情報処理装置への発信の際に、入力受付手段により入力が受け付けられた着信条件に関する情報を送信する送信手段と、他の情報処理装置への接続が完了するまでの間に、他の情報処理装置との間における接続中の回線の切断を要求する回線切断要求を取得したか否かを判定する判定手段と、判定手段により回線切断要求を取得したと判定された場合、他の情報処理装置との間における接続中の回線を切断する回線切断手段とを備えることを特徴とする。
【００１０】
本発明の情報処理装置は、上述した課題を解決するために、情報処理装置に接続される他の情報処理装置に着信処理を行わせるための条件である着信条件の入力を受け付ける入力受付手段と、他の情報処理装置への発信の際に、入力受付手段により入力が受け付けられた着信条件に関する情報を送信する送信手段と、他の情報処理装置との間での回線が接続された後、他の情報処理装置に接続できないことを示す音声信号、データ信号またはメールを受信する受信手段と、受信手段により受信された音声信号、データ信号またはメールに含まれる情報を出力する出力手段とを備えることを特徴とする。
【００１１】
本発明の情報処理装置は、上述した課題を解決するために、情報処理装置に接続される他の情報処理装置から着信の際に、着信処理を行うための条件である着信条件に関する情報を他の情報処理装置から受信する受信手段と、受信手段により受信された着信条件を満たすか否かを判定する判定手段と、判定手段により着信条件を満たさないと判定された場合、情報処理装置との間における接続中の回線の切断を要求する回線切断要求を生成する生成手段と、生成手段により生成された回線切断要求を他の情報処理装置に送信する送信手段とを備えることを特徴とする。
【００１２】
本発明の情報処理装置は、上述した課題を解決するために、情報処理装置に接続される他の情報処理装置から着信の際に、着信処理を行うための条件である着信条件に関する情報を他の情報処理装置から受信する受信手段と、受信手段により受信された着信条件を満たすか否かを判定する判定手段と、判定手段により着信条件を満たさないと判定された場合、情報処理装置と接続することができない旨を示す音声信号またはメールを送信する送信手段を備えることを特徴とする。
【発明の効果】
【００１３】
本発明に係る情報処理装置によれば、発着信処理における利便性を向上させることができる。
【発明を実施するための最良の形態】
【００１４】
以下、本発明の実施の形態について、図面を参照しながら説明する。図１は、本発明に係るネットワークシステム１の全体の構成を表している。図１に示されるように、ネットワークシステム１には、通信サービスの提供エリアを所望の大きさに分割したセル内にそれぞれ固定無線局である基地局３−１乃至３−２などが設置されている。この基地局３−１乃至３−２には、移動無線局である携帯電話機２−１乃至２−２が例えばＷ−ＣＤＭＡ（Wideband-Code Division Multiple Access）と呼ばれる符号分割多元接続方式によってそれぞれ無線接続される。
【００１５】
また、基地局３−１乃至３−２は、有線回線を介して公衆回線網４に接続されており、公衆回線網４には、インターネットサービスプロバイダのアクセスサーバ５が接続されている。アクセスサーバ５には、ネットワーク６（例えば、インターネット、ＬＡＮ（Local Area Network）、ＷＡＮ（Wide Area Network）、その他の各種のネットワークを含む）を介して種々のコンテンツサーバ（図示せぬ）などが接続されている。なお、ネットワークシステム１においては、携帯電話機２−１乃至２−２は、それぞれ内蔵される地上波ディジタルワンセグ受信部（例えば図４の地上波ディジタルワンセグ受信部４８）を介して、図示せぬ放送局からの地上波ディジタルワンセグ放送波を受信することが可能である。また、携帯電話機２−１乃至２−２は、それぞれ、内蔵された無線ＬＡＮモジュール（例えば図４の無線ＬＡＮモジュール４９）を介して近距離大容量通信を行うことができる。
【００１６】
なお、携帯電話機２−１乃至２−２は、以下において、それぞれを個々に区別する必要がない場合、携帯電話機２と総称する。また、基地局３−１乃至３−２も、以下において、それぞれを個々に区別する必要がない場合、基地局３と総称する。
【００１７】
図２は、本発明に係る情報処理装置として適用可能な携帯電話機２の外観の構成を表している。なお、図２（Ａ）は、携帯電話機２を約１８０度に見開いたときの正面から見た外観の構成を表しており、図２（Ｂ）は、携帯電話機２を見開いたときの側面から見た外観の構成を表している。
【００１８】
図２（Ａ）および（Ｂ）に示されるように、携帯電話機２は、中央のヒンジ部１１を境に第１の筐体１２と第２の筐体１３とがヒンジ結合されており、ヒンジ部１１を介して矢印Ｘ方向に折り畳み可能に形成される。携帯電話機２の内部の所定の位置には、送受信用のアンテナ（後述する図４のアンテナ４４）が設けられており、内蔵されたアンテナを介して基地局３との間で電波を送受信する。
【００１９】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００２０】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２１】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２２】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００２３】
また、第１の筐体１２には、操作キー１４の下部にマイクロフォン１５が設けられており、マイクロフォン１５によって通話時のユーザの音声を集音する。また、第１の筐体１２には、携帯電話機２の操作を行うサイドキー１６が設けられている。
【００２４】
なお、第１の筐体１２は、背面側に図示しないバッテリパックが挿着されており、終話・電源キーがオン状態になると、バッテリパックから各回路部に対して電力が供給されて動作可能な状態に起動する。
【００２５】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２０）で撮像した画像、外部のコンテンツサーバ（図示せず）より受信したコンテンツ、メモリカード（後述する図４のメモリカード４６）に記憶されているコンテンツを表示することができる。また、液晶ディスプレイ１７の上部の所定の位置にはスピーカ１８が設けられており、これにより、ユーザは音声通話することが可能である。
【００２６】
図３は、本発明に係る情報処理装置として適用可能な携帯電話機２の他の外観の構成を表している。図３の携帯電話機２の状態は、図２の携帯電話機２の状態から矢印Ｘ方向に回動させた状態である。なお、図３（Ａ）は、携帯電話機２を閉じたときの正面から見た外観の構成を表しており、図３（Ｂ）は、携帯電話機２を閉じたときの側面から見た外観の構成を表している。
【００２７】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機２の現在の電池残量を示す電池ピクト、現在の時刻などが表示される。
【００２８】
図４は、本発明に係る情報処理装置として適用可能な携帯電話機２の内部の構成を表している。図４に示されるように、携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、地上波ディジタルワンセグ受信部４８、無線ＬＡＮモジュール４９、およびＧＰＳ受信部５０がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００２９】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。
【００３０】
携帯電話機２は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００３１】
また、携帯電話機２は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００３２】
携帯電話機２は、データ通信モード時に画像信号を送信する場合、ＣＣＤカメラ２０で撮像された画像信号をカメラインタフェース部３５を介して画像エンコーダ３４に供給する。
【００３３】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機２は、ＣＣＤカメラ２０で撮像中にマイクロフォン１５で集音した音声を音声コーデック４０を介してディジタルの音声信号として多重分離部３８に送出する。
【００３４】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。これに対して、携帯電話機２では、データ通信モード時に、Ｗｅｂページのデータを受信することができる。
【００３５】
また、携帯電話機２は、データ通信モード時に例えばＷｅｂページなどにリンクされた動画像ファイルのデータを受信する場合、アンテナ４４を介して基地局３から受信した受信信号を変復調回路部３９でスペクトラム逆拡散処理し、その結果得られる多重化信号を多重分離部３８に送出する。
【００３６】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００３７】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。
【００３８】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。
【００３９】
地上波ディジタルワンセグ受信部４８は、図示せぬ放送局からの地上波ディジタルワンセグ放送波を受信し、受信された地上波ディジタルワンセグ放送波を多重分離部３８または記憶部４７に供給する。
【００４０】
無線ＬＡＮモジュール４９は、内蔵されたアンテナ（図示せず）を介して、ＩＥＥＥ８０２．１１ａ／ｂ／ｇなどの所定の規格に準拠した無線ＬＡＮ通信を行う。
【００４１】
ＧＰＳ受信部５０は、図示せぬＧＰＳ衛星からのＧＰＳ波（ＧＰＳ情報）を受信する。このＧＰＳ情報には、例えばそれぞれのＧＰＳ衛星からの発信時刻情報が含まれている。その後、主制御部３１においては、取得されたＧＰＳ情報を用いて帯電話機１の現在地を示す位置情報（緯度経度の情報）が計算され（例えば３つ乃至４つのＧＰＳ情報から計算することが望ましい）、携帯電話機２の現在地を示す位置情報（ＧＰＳ測位に基づく位置情報）が求められる。なお、このＧＰＳ情報に基づいて求められる位置情報として緯度経度を取得することが一般的であるが、更に緯度経度に対応した住所情報を取得するようにしてもよい。なお、緯度経度に対応した住所情報を取得する際には、外部のサーバ（図示せず）などにアクセスして住所情報を得るようにしてもよい。従って、「ＧＰＳ測位に基づく位置情報」とはＧＰＳ情報から計算された位置情報（例えば緯度経度情報）や、その情報に対応する住所情報などの情報も含むものとする。
【００４２】
次に、図５のフローチャートを参照して、図４の携帯電話機２における発信制御処理について説明する。なお、図５の発信制御処理においては、例えば図１の携帯電話機２−１から携帯電話機２−２に発信する場合について説明する。また、発信側となる図１の携帯電話機２−１を「発信側の携帯電話機２」と称し、着信側となる図１の携帯電話機２−２を「着信側の携帯電話機２」と称する。
【００４３】
ステップＳ１において、主制御部３１は、操作入力制御部３３を介して、ユーザにより操作キー１４が操作されることによりいずれかの電話番号（すなわち、ユーザが発信処理を実行させることを所望する電話番号）の入力を画面上にて受け付ける。例えば「０９０−××××―××××」などのような電話番号の入力が受け付けられる。勿論、画面上に予め表示されているいくつかの電話番号の中から、いずれかの電話番号の選択がされることでその入力が受け付けられるようにしてもよい。あるいは電話帳に登録した番号を選択させるようにして、その入力に基づいて電話番号を受け付けるようにしてもよい。
【００４４】
ステップＳ２において、主制御部３１は、操作入力制御部３３を介して、発信側の携帯電話機２（例えば図１の携帯電話機２−１）に接続される着信側の携帯電話機２（例えば図１の携帯電話機２−２）に着信処理を行わせるための条件である着信条件の入力をするとの指示が受け付けられたか否かを判定する。
【００４５】
ステップＳ２において発信側の携帯電話機２に接続される着信側の携帯電話機２に着信処理を行わせるための条件である着信条件の入力をするとの指示が受け付けられたと判定された場合、主制御部３１はステップＳ３で、ＬＣＤ制御部３６を制御し、着信条件を入力するための着信条件入力画面を液晶ディスプレイ１７に表示させる。液晶ディスプレイ１７は、ＬＣＤ制御部３６の制御に従い、着信条件を入力するための着信条件入力画面を表示する。
【００４６】
着信側の携帯電話機２に着信処理を行わせる（開始させる）ための条件である着信条件として、例えば（ａ）着信側の携帯電話機２が所定のエリアにいる場合、（ｂ）着信側の携帯電話機２が所定のエリアにいない場合、（ｃ）着信側の携帯電話機２が現在移動中である場合、（ｄ）着信側の携帯電話機２において着信払いが許可されている（認められている）場合、（ｅ）着信側の携帯電話機２において長時間の通話が許可されている（認められている）場合、（ｆ）着信側の携帯電話機２において緊急の着信を待っているとの設定がされていない場合、（ｇ）着信側の携帯電話機２において予め設定された着信を受け付けない時間ではない場合など考えられる。
【００４７】
そこで、着信側の携帯電話機２に着信処理を行わせるための条件である着信条件の入力をするとの指示が受け付けられると、例えば図６に示される着信条件入力画面が液晶ディスプレイ１７に表示される。図６に示される着信条件入力画面の場合、着信側の携帯電話機２に着信処理を行わせるための条件である着信条件として上から順に「無条件」、「条件１  ○○大学構内にいない場合」、「条件２  電池残量が十分ある場合」、および「条件３  マナーモードに設定されていない場合」が表示される。なお、着信条件入力画面に表示される「無条件」とは、着信側の携帯電話機２に着信処理を行わせるためのいずれの着信条件も指定せずに通常の着信処理を行わせる条件であることを意味している。付言すると、この場合、着信側の携帯電話機２（例えば図１の携帯電話機２−２）の所有者は「東芝太郎」である。
【００４８】
そして、ユーザにより操作キー１４（例えば十字キーなど）が操作されてフォーカス部分がスクロールされることにより、着信条件入力画面に表示されるいくつかの着信条件の中から、所望の着信条件（例えば「条件１  ○○大学構内にいない場合」など）が選択されて入力される。なお、例えば初期設定として「無条件」が設定されるようにしてもよい。また、ユーザがこのような着信条件入力機能の使用を所望する着信側の他のユーザは通常固定的となると考えられることから、発信側の携帯電話機２からの発信処理ごとにこのような着信条件の入力を毎回行うのではなく、例えば予め電話帳機能を用いてメニュから所望の着信条件を選択して登録しておいて、電話帳を開いたときに、登録してある複数の着信入力の中から選択するようにしてもよい。
【００４９】
なお、着信条件として、上記のような「着信側の携帯電話機２において長時間の通話が許可されている（認められている）場合」を発信側の携帯電話機２（例えば図１の携帯電話機２−１）にて設定した上で発信制御処理を行うようにするためには、着信側の携帯電話機２において予め長時間の通話を許可する（認める）との設定がなされていることが必要である。同様に、着信条件として、「着信側の携帯電話機２において緊急の着信を待っているとの設定がされていない場合」を発信側の携帯電話機２（例えば図１の携帯電話機２−１）にて設定した上で発信制御処理を行うようにするためには、着信側の携帯電話機２において予め緊急の着信を待っているとの設定がされていないことが必要である。「着信側の携帯電話機２において予め設定された着信を受け付けない時間ではない場合」についても同様である。
【００５０】
また、このような着信条件については同時に複数設定するようにしてもよい。さらに、地上波ディジタルワンセグ・ラジオ放送波などの受信中でないことを着信条件としてもよいし、着信条件に関してユーザの好みに合わせて適宜変更するようにしてもよい。勿論、同メーカの同機種間の携帯電話機同士においては、着信条件として入力等をせずに、着信条件を示す番号のみをやり取りするようにしてもよい。さらには、着信者側が選択した着信条件を予め発信者側に送信して、発信者側はその中から選べるようにしてもよい。
【００５１】
ステップＳ４において、主制御部３１は、操作入力制御部３３を介して、ユーザにより操作キー１４のうち例えば十字キーが操作された後に確定キーが押下されることにより、着信側の携帯電話機２に着信処理を行わせるための条件である着信条件の入力を受け付ける。例えば図６の場合、着信側の携帯電話機２に着信処理を行わせるための条件である着信条件として「条件１  ○○大学構内にいない場合」などの入力が受け付けられる。
【００５２】
ステップＳ５において、主制御部３１は、入力が受け付けられた着信条件に基づいて、着信側の携帯電話機２に着信処理を行わせるための条件である着信条件を設定する。ステップＳ６において、主制御部３１は、操作入力制御部３３を介して、ユーザにより操作キー１４のうちの例えば発呼キーが操作されることにより、着信側の携帯電話機２への発信開始の指示が受け付けられたか否かを判定し、着信側の携帯電話機２への発信開始の指示が受け付けられたと判定するまで待機する。
【００５３】
ステップＳ６において着信側の携帯電話機２への発信開始の指示が受け付けられたと判定された場合、主制御部３１はステップＳ７で、変復調回路部３９、送受信回路部４３、およびアンテナ４４を制御し、入力が受け付けられた電話番号により示される着信側の携帯電話機２への発信処理を基地局３を介して開始する。ステップＳ８において、主制御部３１は、変復調回路部３９、送受信回路部４３、およびアンテナ４４を制御し、設定された着信条件（着信側の携帯電話機２に着信処理を行わせるための条件である着信条件）に関する情報を着信側の携帯電話機２に基地局３を介して送信する。
【００５４】
この着信条件に関する情報には、設定された着信条件（「条件１  ○○大学構内にいない場合」、「条件２  電池残量が十分ある場合」、または「条件３  マナーモードに設定されていない場合」など）の内容に関する情報が含まれている。
【００５５】
ステップＳ９において、主制御部３１は、変復調回路部３９、送受信回路部４３、およびアンテナ４４を制御し、発信処理を開始した着信側の携帯電話機２との間で回線が接続されることで着信側の携帯電話機２への接続が完了したか否かを判定する。
【００５６】
ステップＳ９において着信側の携帯電話機２への接続が完了していないと判定された場合、主制御部３１はステップＳ１０で、変復調回路部３９、送受信回路部４３、およびアンテナ４４を介して、着信側の携帯電話機２から、回線の切断を要求する回線切断要求を取得したか否かを判定する。この回線切断要求は、発信側の携帯電話機２（例えば図１の携帯電話機２−１）から送信した着信条件が着信側の携帯電話機２（例えば図１の携帯電話機２−２）にて満たされないために、回線の接続完了が許可されない場合に、着信側の携帯電話機２から送信されてくる。
【００５７】
ステップＳ１０において着信側の携帯電話機２から、回線の切断を要求する回線切断要求を取得していないと判定された場合（すなわち、発信側の携帯電話機２から送信した着信条件が着信側の携帯電話機２にて満たされないために、回線の接続完了が許可されない場合であって、基地局３を介して着信側の携帯電話機２からまだ回線切断要求を取得できていない場合や、携帯電話機２から送信した着信条件が着信側の携帯電話機２にて満たされているが、着信側の携帯電話機２への接続がまだ完了されていない場合）、処理はステップＳ７に戻り、ステップＳ７以降の処理が繰り返し実行される。
【００５８】
一方、ステップＳ１０において着信側の携帯電話機２から、回線の切断を要求する回線切断要求を取得したと判定された場合、主制御部３１はステップＳ１１で、ＬＣＤ制御部３６を介して、着信側の携帯電話機２との間での回線を切断する旨を液晶ディスプレイ１７に表示させる。液晶ディスプレイ１７は、ＬＣＤ制御部３６の制御に従い、着信側の携帯電話機２との間での回線を切断する旨を表示する。例えば「着信条件を満たさないため、回線を切断します。」などのメッセージが表示される。勿論、満たさない着信条件自体を同時に表示するようにしてもよい。
【００５９】
ステップＳ１２において、主制御部３１は、変復調回路部３９、送受信回路部４３、およびアンテナ４４を介して、発信処理が開始された着信側の携帯電話機２との間での回線を切断する。これにより、発信側の携帯電話機２から送信した着信条件が着信側の携帯電話機２にて満たされないために、着信側の携帯電話機２にて回線の接続完了が許可されない場合に、着信側の携帯電話機２との間での回線を切断することができる。
【００６０】
ステップＳ１３において、主制御部３１は、変復調回路部３９、送受信回路部４３、およびアンテナ４４を介して終話処理を行う。
【００６１】
一方、ステップＳ９において着信側の携帯電話機２への接続が完了したと判定された場合、主制御部３１は、変復調回路部３９、送受信回路部４３、およびアンテナ４４を介して、着信側の携帯電話機２との間で通話処理を行う。これにより、ユーザは、他の携帯電話機２を所有する他のユーザと通話をすることができる。その後、発信側と着信側のいずれかのユーザにより操作キー１４のうちの例えば終話・電源キーが操作された場合、処理はステップＳ１３に進み、ステップＳ１３において終話処理が実行される。
【００６２】
図７のフローチャートを参照して、図５のフローチャートを参照して説明した発信側の携帯電話機２（例えば図１の携帯電話機２−１）の発信制御処理に対応する、図４の着信側の携帯電話機２（図１の携帯電話機２−２）における着信制御処理について説明する。
【００６３】
ステップＳ２１において、主制御部３１は、変復調回路部３９、送受信回路部４３、およびアンテナ４４を介して、基地局３を経由して発信側の携帯電話機２（例えば図１の携帯電話機２−１）から着信があったか否かを判定し、基地局３を経由して発信側の携帯電話機２（例えば図１の携帯電話機２−１）から着信があったと判定するまで待機する。
【００６４】
ステップＳ２１において基地局３を経由して発信側の携帯電話機２（例えば図１の携帯電話機２−１）から着信があったと判定された場合、主制御部３１はステップＳ２２で、着信側の携帯電話機２（例えば図１の携帯電話機２−１）から送信されてきた着信条件に関する情報から、要求される着信条件を読み取る。なお、この着信条件に関する情報には、設定された着信条件（「条件１  ○○大学構内にいない場合」、「条件２  電池残量が十分ある場合」、または「条件３  マナーモードに設定されていない場合」など）の内容に関する情報が含まれている。
【００６５】
ステップＳ２３において、主制御部３１は、読み取られた着信条件を着信側の携帯電話機２（例えば図１の携帯電話機２−２）にて満たすか否かを判定する。すなわち、読み取られた着信条件が「条件１  ○○大学構内にいない場合」である場合に、着信側の携帯電話機２（図１の携帯電話機２−２）を所有するユーザが○○大学構内にいるとき、読み取られた着信条件は満たさないと判定される。なお、着信側の携帯電話機２（図１の携帯電話機２−２）を所有するユーザが○○大学構内にいるか否かを判定する場合、ＧＰＳ機能が起動され、ＧＰＳ受信部５０によって図示せぬＧＰＳ衛星から受信されたＧＰＳ波（ＧＰＳ情報）に基づいて着信側の携帯電話機２の現在地を示す位置情報（ＧＰＳ測位に基づく位置情報）が求められ、この位置情報に基づいてユーザが○○大学構内にいるか否かが判定される。
【００６６】
また、読み取られた着信条件が「条件３  マナーモードに設定されていない場合」など）である場合に、着信側の携帯電話機２（図１の携帯電話機２−２）において予めマナーモードに設定されているとき、読み取られた着信条件は満たさないと判定される。
【００６７】
ステップＳ２３において読み取られた着信条件を着信側の携帯電話機２にて満たさないと判定された場合、主制御部３１はステップＳ２４で、発信側の携帯電話機２との間で接続されている回線を切断するための回線切断要求（発信側の携帯電話機２から見た場合、着信側の携帯電話機２との間で接続されている回線を切断するための回線切断要求）を生成する。
【００６８】
ステップＳ２５において、主制御部３１は、変復調回路部３９、送受信回路部４３、およびアンテナ４４を制御し、生成された回線切断要求を基地局３を介して発信側の携帯電話機２に送信する。その後、処理はステップＳ２１に進み、ステップＳ２１以降の処理が繰り返し実行される。
【００６９】
ステップＳ２３において読み取られた着信条件を着信側の携帯電話機２にて満たすと判定された場合、ユーザによるオフフックの操作を待って、主制御部３１はステップＳ２６で、ＬＣＤ制御部３６を介して、発信側の携帯電話機２から着信があることを示す着信表示を液晶ディスプレイ１７に表示させる。液晶ディスプレイ１７は、ＬＣＤ制御部３６の制御に従い、発信側の携帯電話機２から着信があることを示す着信表示を表示する。例えば発信側の携帯電話機２の電話番号やその所有者であるユーザ名が液晶ディスプレイ１７に表示される。なお、このとき、同時にスピーカ１８を用いて着信音（呼出音）が出力される。
【００７０】
ステップＳ２７において、主制御部３１は、操作入力制御部３３を介して、ユーザにより操作キー１４のうちの例えば発呼キーが操作されることにより、オンフックされたか否かを判定し、オフフックされたと判定するまで待機する。ステップＳ２７においてオフフックされたと判定された場合、主制御部３１は、携帯電話機２全体を制御し、通話処理を行う。その後、ユーザにより操作キー１４のうちの終話・電源キーが操作されると、ステップＳ２９において、主制御部３１は、携帯電話機２全体を制御し、終話処理を行う。勿論、発信側の携帯電話機２においてユーザによる終話処理が実行されることに伴って送信されてくる回線切断要求に従い、発信側の携帯電話機２との間での回線を切断するようにしてもよい。
【００７１】
本発明の実施形態においては、発信側の携帯電話機２（例えば図１の携帯電話機２−１）に接続される着信側の携帯電話機２（例えば図１の携帯電話機２−２）に着信処理を行わせるための条件である着信条件の入力を受け付け、着信側の携帯電話機２への発信の際に、入力が受け付けられた着信条件に関する情報を着信側の携帯電話機２に送信するとともに、着信側の携帯電話機２への接続が完了するまでの間に、発信側と着信側の携帯電話機２との間での回線の切断を要求する回線切断要求を着信側の携帯電話機２から取得したか否かを判定することができる（換言すれば、着信側の携帯電話機２にて送信された着信条件を満たしているか否かを判定することができる）。
【００７２】
そして、この回線切断要求を着信側の携帯電話機２から取得したと判定された場合、着信側の携帯電話機２との間における接続中の回線を切断することができる。
【００７３】
これにより、例えば、ユーザが、自分の子供が学校に現在いる場合には着信側の携帯電話機２によって呼び出したくないが、現在外出している場合には呼び出して話したいと思っているときに、ユーザの携帯電話機２（発信側の携帯電話機２）から自分の子供の携帯電話機（着信側の携帯電話機２）に発信処理を行い、着信側の携帯電話機２にて送信した着信条件を満たさない場合、接続を開始している着信側の携帯電話機２との間での回線を切断することができる。従って、着信側の携帯電話機２にて着信条件を満たさない状況においては、着信側の携帯電話機２が接続可能な状態であったとしても、そもそも、回線の接続を完了しないようにすることができ、無条件に発呼処理が実行されてしまうことを防止することができる。
【００７４】
また、このとき、発信側の携帯電話機２にて回線を切断するとの旨を表示するとともに、終話処理を行うことができる。これにより、ユーザは、自分の子供が所有する携帯電話機２の状態が圏外や電源オフであるために接続することができないのか、マナーモードやドライブモードであるためにすぐに通話することができないのかに関することを知ることができる。以上のように、発着信処理における利便性を向上させることができる。
【００７５】
なお、本発明の実施形態においては、２つの携帯電話機２同士の間での発着信制御処理について明示的に説明したが、このような場合に限られず、例えば携帯電話機２と固定電話機またはパーソナルコンピュータ（いずれも図示せず）との間での発着信制御処理に本発明を適用するようにしてもよい。
【００７６】
ところで、図７の着信制御処理においては、発信側の携帯電話機２から送信されてきた着信条件を満たさない場合、着信側の携帯電話機２は、直ちに回線切断要求を生成し、生成された回線切断要求を発信側の携帯電話機２に送信するようにしているが、このような場合に限られず、例えば、発信側の携帯電話機２から送信されてきた着信条件を満たさない場合、一旦回線を接続した上で、回線を接続することができない理由を音声ガイダンスにて発信側の携帯電話機２に送信したり、理由を示すデータ情報を送信したり、あるいは、メール受信可能である場合、テキストデータによる文字ガイダンスを発信側の携帯電話機２に送信するようにしてもよい。以下、この方法を用いた着信制御処理について説明する。
【００７７】
図８のフローチャートを参照して、図５のフローチャートを参照して説明した発信側の携帯電話機２（例えば図１の携帯電話機２−１）の発信制御処理に対応する、図４の着信側の携帯電話機２（図１の携帯電話機２−２）における着信制御処理について説明する。なお、図８のステップＳ３１乃至Ｓ３３、およびステップＳ３７乃至Ｓ４０の処理は、図７のステップＳ２１乃至Ｓ２３、およびステップＳ２６乃至Ｓ２９の処理と同様であり、その説明は繰り返しになるので省略する。
【００７８】
ステップＳ３３において読み取られた着信条件を着信側の携帯電話機２にて満たさないと判定された場合、主制御部３１はステップＳ３４で、変復調回路部３９、送受信回路部４３、およびアンテナ４４を制御し、発信側の携帯電話機２との間での回線を一旦接続する。ステップＳ３５において、主制御部３１は、着信条件（例えば「条件１  ○○大学構内にいない場合」という着信条件）が満たされていないことを示す音声ガイダンスに対応する音声信号を記憶部４７から読み出し、変復調回路部３９、送受信回路部４３、およびアンテナ４４を介して、読み出された音声ガイダンスに対応する音声信号を発信側の携帯電話機２に送信する。
【００７９】
あるいは、主制御部３１はステップＳ３５で、着信条件（例えば「条件１  ○○大学構内にいない場合」という着信条件）が満たされていないことを示す文字ガイダンスに対応するテキストデータあるいはデータコードを記憶部４７から読み出し、読み出された文字ガイダンスに対応するテキストデータに基づいてメールを作成し、作成されたこのメールあるいはデータコードを、変復調回路部３９、送受信回路部４３、およびアンテナ４４を介して発信側の携帯電話機２に送信する。
【００８０】
その後、ステップＳ３６において、主制御部３１は、携帯電話機２全体を制御し、終話処理を行う。その後、処理はステップＳ３１に戻り、ステップＳ３１以降の処理が繰り返し実行される。
【００８１】
そして、発信側の携帯電話機２においては、図５のステップＳ１４以降の処理により、着信側の携帯電話機２との間で回線が一旦接続されるとともに、着信側の携帯電話機２から送信されてきた音声ガイダンスに対応する音声信号、データコードまたは文字ガイダンスに対応するテキストデータが含まれるメールが受信され、受信された音声ガイダンスに対応する音声信号、データコードに対応する情報または文字ガイダンスに対応するテキストデータが含まれるメールがスピーカ１８あるいは液晶ディスプレイ１７を介して出力される。
【００８２】
これにより、例えば、ユーザが、自分の子供が学校に現在いる場合には着信側の携帯電話機２によって呼び出したくないが、現在外出している場合には呼び出して話したいと思っているときに、ユーザの携帯電話機２（発信側の携帯電話機２）から自分の子供の携帯電話機（着信側の携帯電話機２）に発信処理を行い、着信側の携帯電話機２にて送信した着信条件を満たさない場合、接続を開始している着信側の携帯電話機２との間での回線を一旦接続した上で、接続できない理由（例えば自分の子供が所有する携帯電話機２の状態が圏外や電源オフであるために接続することができないのか、マナーモードやドライブモードであるためにすぐに通話することができないのかに関すること）を直接的に、かつ、簡単に知ることができる。従って、発着信処理における利便性をより向上させることができる。
【００８３】
なお、この場合、通信話料金が発信側の携帯電話機２を所有するユーザに発生するが、信号方式などの基地局３やネットワークシステム１に係る変更や機能追加に関しては最小限の変更・追加を行うことでこのような機能を実現することが可能となる。勿論、通信話料金に関してもかけ放題などのサービスを利用することで事実上さらなる料金が発生しないようにすることも可能となる。
【００８４】
また、満たされない着信条件が（ｇ）着信側の携帯電話機２において予め設定された着信を受け付けない時間ではない場合などであるときには、着信側の携帯電話機２から発信側の携帯電話機２に送信する音声ガイダンスに対応する音声信号、データや文字ガイダンスに対応するテキストデータに、いつなら着信可能であるかに関する情報を含めるようにしてもよい。これにより、さらに発着信処理における利便性をより向上させることができる。
【００８５】
さらに、このような発着信制御処理により実現されるサービスは、基本的には携帯電話機２側だけでできるので、基地局３を含むシステムに依存せず、携帯電話事業者が発信側と着信側で異なっても問題ない。ただし、基地局３側がその一部機能を負担したり、着信側の携帯電話機２が着信条件の全てまたは一部を予め基地局３を介して公衆回線網４などのネットワーク側に通知するようにしておくことで、発信側の携帯電話機２における処理だけで実行することも可能である。
【００８６】
なお、本発明の実施形態においては、携帯電話機２に備えられた無線ＬＡＮモジュール４９を用いて無線ＬＡＮ回線を介してこのような処理を行うようにしてもよいし、その際、より詳細な情報（例えば位置情報など）を送受信するようにしてもよい。
【００８７】
なお、本発明は、携帯電話機２以外にも、ＰＤＡ（Personal Digital Assistant）、パーソナルコンピュータ、携帯型ゲーム機、携帯型音楽再生機、携帯型動画再生機、その他の情報処理情報処理装置にも適用することができる。
【００８８】
また、本発明の実施形態において説明した一連の処理は、ソフトウェアにより実行させることもできるが、ハードウェアにより実行させることもできる。
【００８９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９０】
【図１】本発明に係るネットワークシステムの概略的な構成を示す図。
【図２】本発明に係る情報処理装置に適用可能な携帯電話機の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】図４の携帯電話機における発信制御処理を説明するフローチャート。
【図６】図４の液晶ディスプレイに表示される着信条件入力画面の表示例を示す図。
【図７】図４の携帯電話機における着信制御処理を説明するフローチャート。
【図８】図４の携帯電話機における他の着信制御処理を説明するフローチャート。
【符号の説明】
【００９１】
１…ネットワークシステム、２（２−１乃至２−２）…携帯電話機、３（３−１乃至３−２）…基地局、４…公衆回線網、５…アクセスサーバ、６…ネットワーク、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…地上波ディジタルワンセグ受信部、４９…無線ＬＡＮモジュール、５０…ＧＰＳ受信部。
【図１】
2008306558.tif 000003
【図２】
2008306558.tif 000004
【図３】
2008306558.tif 000005
【図４】
2008306558.tif 000006
【図５】
2008306558.tif 000007
【図６】
2008306558.tif 000008
【図７】
2008306558.tif 000009
【図８】
2008306558.tif 000010